(57)【特許請求の範囲】
【請求項１】
片手で把持可能な大きさや形態で形成される本体と、
鼻の両側に位置されるように前記本体の上部両側に突出形成され、皮膚との接触時に低周波、超音波、高周波、温熱刺激や振動刺激のうち何れか一つを発生させるマッサージ部と、
前記マッサージ部間に凹状に形成され、鼻柱部分を支持する鼻挿入部と、
前記マッサージ部間に作動可能に設けられる補助マッサージ部と、を含み、
前記鼻挿入部は、鼻柱部分を柔らかく支持できるように柔軟な合成樹脂の材質からなることを特徴とする鼻炎改善用マッサージ器。
【請求項２】
片手で把持可能な大きさや形態により形成される本体と、
鼻の両側に位置されるように前記本体の上部の上、下側に突出形成され、皮膚との接触時に低周波、超音波、高周波、温熱刺激や振動刺激のうち何れか一つを発生させるマッサージ部と、
前記マッサージ部間に凹状に形成され、鼻柱部分を支持する鼻挿入部と、
前記マッサージ部間に作動可能に設けられる補助マッサージ部と、を含み、
前記鼻挿入部は、鼻柱部分を柔らかく支持できるように柔軟な合成樹脂の材質からなることを特徴とする鼻炎改善用マッサージ器。
【請求項３】
前記補助マッサージ部は、レーザーが照射されるランプであったり、電気刺激を発生する電極であることを特徴とする請求項１または２に記載の鼻炎改善用マッサージ器。
【発明の詳細な説明】
【技術分野】
【０００１】
本発明は、鼻炎改善用マッサージ器に係り、より詳細には低周波、超音波、高周波、温熱刺激や振動刺激などを利用して鼻の両側をマッサージすることにより鼻炎の症状が改善でき、且つ小型に作られたことで携帯や使用に便利な鼻炎改善用マッサージ器に関するものである。
【背景技術】
【０００２】
近年、医学の発展により、各種伝染病による死亡率は減ったが、脳血管疾患、神経衰弱、慢性疾患などの発病率は上昇しており、その主な原因は多忙な生活と、これによる過労や疲労の累積、精神的緊張、不規則な食習慣、その他運動不足によって血管が狭窄したり、老廃物が蓄積して身体障害に起因して発生するものによる。
【０００３】
特に、血管は、人体の生命活動に重要な役割を果たすが、青年期には血管の弾性が強く、血液循環が理想的なものであるが、歳月を重ねるにしたがって血管の内壁には有害な沈殿物が沈殿し、血管内径が狭くなるのに伴なって血管壁が硬化しやすく、その症状として目眩、手足の痺れ、全身無気力、高血圧などが発生することになる。
【０００４】
一方、血管が通る身体部位に対して、適切な刺激をより効果的に与えるための物理治療器として低周波治療器が大衆化された。特に、低周波電気刺激が様々な形で多くの疾病の治療に利用されてきたが、近年では韓医学の針術と融合して相当な治療効果を得ており、耳鳴りの低周波治療は外国の多くの論文で効果があると発表されてきており、鼻炎や蓄膿症も針術と併せて相当な治療効果を得ている。
【０００５】
通常の低周波治療器は、人体の特定部位に低周波を印加することで、筋肉に強制運動を課して必要な治療をしたり、固まった筋肉をほぐす装置であって、低周波発生器と複数個の付着パッド型導電板及びコードが１セットになって構成され、導電板を治療する部位に付着した状態で、コードによって低周波発生器に繋がるようにして治療を行う事ができる。
【０００６】
また、身体の異常症状のうち鼻水が流れる現象は、じっとしていても鼻水が出て長期間治療しても全快しない。これが鼻炎に発展すると、生活の不便さや不眠が伴なうこともあるが、低周波刺激を通じて効果的な治療効果が得られるものと様々な学術界で報告されてきた。
【０００７】
こうした鼻炎や蓄膿症患者の大半は老若男女問わず広い範囲で疾病として表れ、長期間の治療を必要とし、また、頻繁な治療のために病院への訪問治療が容易でないのが実情である。低周波治療器による低周波電気刺激がこのような鼻炎や蓄膿症患者たちに大きな治療効果をもたらすにも関らず、従来技術による付着パッド形式の低周波治療器ではこうした鼻炎治療が不可能であったり、使用の不便さが大きな短所であった。すなわち、従来の低周波治療器は付着パッドで身体に付着させて使用する形式であって、鼻に着用して手軽に使用することができないものであるため、平板の付着パッドを角張った部位に付着させて使用する場合、手で付着パッドを抑えて使用したり、付着パッドが鼻から分離しないように別途のフック器具を用いて鼻に付着パッドを密着させて使用したり、することから、使い難いという問題点があった。
【０００８】
このような問題点を克服するための従来技術として、韓国実用新案登録第２０−０３７０７５８号公報に低周波鼻炎治療器（以下、従来技術という）が公知である。このような従来技術は、低周波発生器を通じて低周波電子を発生させ、身体の皮膚の特定部位に低周波電子を伝達して身体部位を治療する低周波治療器において、前記の低周波発生器から発生する低周波電気を通電させて顔に着用する着用台と、前記着用台に連結して低周波電気を誘導し、鼻の部分に掛けられる着用空間を備える掛け具と、前記掛け具の形状に沿って埋め込まれ、前記低周波発生器から発生して誘導される低周波電子を鼻の部分に伝達する多数の埋め込み電極からなることを特徴とする。
【０００９】
しかし、前述した従来技術の場合も、顔に着用台を着用しなければならないのは勿論のこと、低周波発生器を別途に具備しなければならないため、保管、運搬、使用や携帯において不便であるという短所があった。
【先行技術文献】
【特許文献】
【００１０】
【特許文献１】韓国登録実用新案第２０−３７０７５８号公報(登録日：２００４年１２月０８日）
【発明の概要】
【発明が解決しようとする課題】
【００１１】
したがって、本発明の目的は、低周波、超音波、高周波、温熱刺激や振動刺激などを利用して鼻の両側をマッサージすることにより、鼻炎の症状が改善でき、且つ小型に作られたことで携帯や使用に便利な鼻炎改善用マッサージ器を提供することにある。
【課題を解決するための手段】
【００１２】
前述した本発明の目的は、片手で把持可能な大きさや形態で形成される本体と、鼻の両側に位置されるように前記本体の上部両側に突出形成され、皮膚との接触時に低周波、超音波、高周波、温熱刺激や振動刺激などを選択的に発生するマッサージ部と、前記マッサージ部間に凹状に形成され、鼻柱部分を支持する鼻挿入部と、前記マッサージ部間に作動可能に備えられる補助マッサージ部と、を含むことを特徴とする鼻炎改善用マッサージ器を提供することによって達成される。
【００１３】
また、前述した本発明の目的は、片手で把持可能な大きさや形態で形成される本体と、鼻の両側に位置されるように前記本体の上部の上、下側に突出形成され、皮膚との接触時に低周波、超音波、高周波、温熱刺激や振動刺激などを選択的に発生するマッサージ部と、前記マッサージ部間に凹状に形成され、鼻柱部分を支持する鼻挿入部と、前記マッサージ部間に作動可能に備えられる補助マッサージ部と、を含むことを特徴とする鼻炎改善用マッサージ器を提供することによっても達成される。
【００１４】
本発明の好適な特徴によれば、前述した鼻挿入部は、鼻柱部分を柔かく支持できるように柔軟な合成樹脂の材質からなるものとする。
【００１５】
本発明の好適な特徴によれば、前述した補助マッサージ部は、レーザーが照射されるランプであったり、電気刺激を発生する電極であるものとする。
【発明の効果】
【００１６】
上述した本発明による鼻炎改善用マッサージ器によれば、低周波、超音波、高周波、温熱刺激や振動刺激などを利用して鼻の両側をマッサージすることによって、鼻炎の症状が改善でき、且つ小型に作られたことで携帯や使用に便利であるという卓越した長所を有する。
【図面の簡単な説明】
【００１７】
【図１】本発明の好適な一実施形態による鼻炎改善用マッサージ器の斜視図である。
【図２ａ】本発明の好適な一実施形態による鼻炎改善用マッサージ器の使用状態図である。
【図２ｂ】本発明の好適な一実施形態による鼻炎改善用マッサージ器の使用状態図である。
【図３】本発明の他の実施形態による鼻炎改善用マッサージ器の斜視図である。
【発明を実施するための形態】
【００１８】
図１には、本発明の好適な一実施形態による鼻炎改善用マッサージ器の斜視図を示し、図２ａ及び図２ｂには、本発明の好適な一実施形態による鼻炎改善用マッサージ器の使用状態図を示す。
【００１９】
本発明の好適な一実施形態による鼻炎改善用マッサージ器は、片手で把持可能な大きさや形態で形成される本体と、鼻の両側に位置されるように前記本体の上部両側に突出形成され、皮膚との接触時に低周波、超音波、高周波、温熱刺激や振動刺激などを選択的に発生するマッサージ部と、前記マッサージ部間に凹状に形成され、鼻柱部分を支持する鼻挿入部と、前記マッサージ部間に作動可能に備えられる補助マッサージ部と、を含む。
【００２０】
以下では、図１乃至図２ｂに基づき、本発明の好適な一実施形態による鼻炎改善用マッサージ器１の構成部材とその作動関係と使用方法について詳細に説明する。
【００２１】
ここで、本体１０は後述する構成部材が作動可能に設置される役割をするものとして、片手で把持可能な大きさや形状で形成される。すなわち、前述した本体１０は電気かみそりのように片手で把持可能に形成されており、その内部には、図示していないが、マッサージ部２０に必要な電源を供給するための電源供給手段、低周波を発生させる低周波発生手段、電源供給や作動に必要な電気信号が送受信される基板がそれぞれ作動可能に設けられる。また、本体１０の外部にはマッサージ部２０の作動を制御するコントローラ１１が設置される。
【００２２】
これら電源供給手段、低周波発生手段及び基板は、従来技術による電源供給手段、低周波発生手段及び基板と同一のものとするが、電源供給手段としては取替可能な使い捨てバッテリー、充電バッテリーなどが使用できる。
【００２３】
前述した本体１０の上部両側にはマッサージ部２０が設けられるが、前述のマッサージ部２０は鼻の両側に位置され、肌との接触時に発生する低周波、超音波、高周波、温熱刺激や振動刺激などを利用して鼻炎の症状を改善する役割をするものである。
【００２４】
このようなマッサージ部２０は、肌との接触時に導通しながら、自動的に低周波、超音波、高周波、温熱刺激や振動刺激の発生が始まり、鼻の周辺を刺激してマッサージする。こうしたマッサージ部２０は、刺激の種類にしたがってその刺激の発生が可能な素子が内設され、その形状は図示したように、鼻の両側に密着するように突出形成されることもできるが、鼻全体が収まる形状にも形成できるなど、その形状は多様に変更が可能である。
【００２５】
前記マッサージ部２０は、コントローラ１１がＯＮに調節された状態であっても、皮膚と接触して電気的に導通される時のみ、低周波刺激が発生するようにすることもでき、また、コントローラ１１がＯＮに調節されると直ぐに低周波刺激が発生するようにすることもできる。
【００２６】
また、前記マッサージ部２０間には、鼻挿入部３０が凹状に形成され、前記鼻挿入部３０は顔から突出した鼻柱の部分が、その内部に収容及び支持されるようにする役割をするものであり、前記マッサージ部２０間から下方に形成されて、鼻柱の部分を柔かく支持できるように柔軟な合成樹脂の材質からなる。
【００２７】
つまり、前記マッサージ部２０によって鼻の両側部分がマッサージされる間、突出した鼻柱部分は鼻挿入部３０内で押されることもあるが、鼻挿入部３０が滑らかで柔軟な合成樹脂の材質で形成されることにより、マッサージ時間が長くなっても使用者の鼻が過度に押されたり、これによって痛みが発生することを防止できる。
【００２８】
また、前記マッサージ部２０間には、補助マッサージ部４０が作動可能に設けられ、前述した補助マッサージ部４０は鼻部位の毛穴の縮小、肌の再生など肌の改善効果が発揮できる役割を果たすものである。このような補助マッサージ部４０は、マッサージ部２０間に一つ、そして鼻挿入部３０内に一つ、この計二つが設けられ、レーザーが照射されるランプであったり、または電気刺激を発生する電極であるものとする。
【００２９】
図３には、本発明の他の実施形態による鼻炎改善用マッサージ器の斜視図が示されている。ここで本発明の好適な一実施形態による鼻炎改善用マッサージ器１と同一の構成部材については同一符号を使用するものとする。
【００３０】
本発明の他の実施形態による鼻炎改善用マッサージ器１’は、片手で把持可能な大きさや形態で形成される本体１０と、鼻の両側に位置されるように上記本体１０の上部の上、下側に突出形成され、皮膚との接触時に低周波、超音波、高周波、温熱刺激や振動刺激などを選択的に発生するマッサージ部２０と、上記マッサージ部２０の間に凹状に形成され、鼻柱部分を支持する鼻挿入部３０を含むことを特徴とする。
【００３１】
本発明の他の実施形態による鼻炎改善用マッサージ器１’は、図３に示すように、マッサージ部２０が本体１０の左右両側に位置されるのではなく、上、下側に位置され、鼻挿入部３０も上、下側に位置されたマッサージ部２０の間に位置されることで、使用者が本体１０を垂直方向に把持した状態で使用するのではなく、水平方向に把持した状態で使用するという点のみが異なるだけで、発明の構成とその作動関係は本発明の好適な一実施形態による鼻炎改善用マッサージ器１と同一であり、前述した説明から十分に類推できるため、重複する説明は明細書の簡略化のために省略することとする。
【００３２】
本発明は、特許請求の範囲で請求する請求の要旨から外れなくとも、当該技術分野において通常の知識を有する者によって多様に変更実施することができるため、本発明の技術保護範囲は上述した特定の好適な実施形態に限定されない。
【００３３】
本発明は、家庭や病院などで鼻炎の症状を改善させる用途で活用可能である。
【図１】
0006487116.tif 000002
【図２ａ】
0006487116.tif 000003
【図２ｂ】
0006487116.tif 000004
【図３】
0006487116.tif 000005